(57)【要約】【課題】扉で閉じられている階上の居室を、吹き抜け空間を利用して空調しうる建物の空調方法。【解決手段】一階から二階に連続する吹き抜け空間２を有した建物Ｂの空調方法である。空調方法は、空調装置２５により吹き抜け空間２を暖めて、該吹き抜け空間２を上昇する暖かい空気Ａｗを、扉９を閉じた階上の居室４内に上側換気口１２から供給し、下側換気口１１から排出することにより、扉９が閉じられた階上の居室４内の空気温度を上昇させる。また、空調方法は、吹き抜け空間２の空気が上昇するようにシーリングファン２９を運転する工程Ｓ１と、空調装置２５により吹き抜け空間２を冷却する工程Ｓ２と、換気装置２１で階上の居室４を負圧にする工程Ｓ３とを行いながら、扉９が閉じられた階上の居室４に換気口１０から吹き抜け空間２の冷たい空気Ａｃを供給する。【選択図】図１
2014194288.tif 000002
【特許請求の範囲】
【請求項１】
一階から二階に連続する吹き抜け空間を有した建物の空調方法であって、
前記建物の前記一階には前記吹き抜け空間に連続する階下の居室を有し、
前記建物の前記二階には前記吹き抜け空間に面する扉で開閉される階上の居室を有し、
前記扉の下縁側には、前記階上の居室と前記吹き抜け空間とを連通させる下側換気口を有し、
前記扉の上方には、前記階上の居室と前記吹き抜け空間とを連通させる上側換気口を有し、
前記建物は、前記階下の居室及び前記吹き抜け空間を少なくとも暖房しうる空調装置を具え、
前記空調装置により前記吹き抜け空間を暖めて、該吹き抜け空間を上昇する暖かい空気を、前記扉を閉じた前記階上の居室内に前記上側換気口から供給し、前記下側換気口から排出することにより、前記扉が閉じられた前記階上の居室内の空気温度を上昇させることを特徴とする建物の空調方法。
【請求項２】
前記空調装置は、前記吹き抜け空間で、しかも、前記一階と前記二階との間の高さ位置に設けられている請求項１記載の建物の空調方法。
【請求項３】
前記建物は、前記吹き抜け空間の二階の天井に空気を上昇又は下降させるシーリングファンを具え、
前記シーリングファンを前記暖かい空気が下降するように駆動させ、前記階上の居室への前記暖かい空気の供給量を制限する請求項１又は２に記載の建物の空調方法。
【請求項４】
前記上側換気口の開口面積は、前記下側換気口の開口面積よりも大きい請求項１乃至３のいずれかに記載の建物の空調方法。
【請求項５】
前記上側換気口は、前記吹き抜け空間の二階の天井と、前記扉との間に形成される欄間開口部である請求項１乃至４のいずれかに記載の建物の空調方法。
【請求項６】
前記階上の居室には、屋外に面する窓が設けられ、
前記窓には、前記階上の居室と前記屋外との間の熱の伝導を妨げる断熱手段が設けられる請求項１乃至５のいずれかに記載の建物の空調方法。
【請求項７】
一階から二階に連続する吹き抜け空間を有した建物の空調方法であって、
前記建物は、前記吹き抜け空間の二階の天井に空気を上昇又は下降させるシーリングファンを有し、
前記建物の前記一階には前記吹き抜け空間に連続する階下の居室を有し、
前記建物の前記二階には前記吹き抜け空間に面する扉で開閉される階上の居室を有し、
前記階上の居室は、前記扉を閉じた状態で該居室内部と前記吹き抜け空間とを連通させる換気口を具え、
前記階上の居室には、該居室内の空気を、屋外に排出する換気装置を有し、
前記建物は、前記階下の居室及び前記吹き抜け空間を少なくとも冷房しうる空調装置を具え、
前記吹き抜け空間の空気が上昇するように前記シーリングファンを運転する工程と、前記空調装置により前記吹き抜け空間を冷却する工程と、前記換気装置で前記階上の居室を負圧にする工程とを行いながら、前記扉が閉じられた前記階上の居室に前記換気口から前記吹き抜け空間の冷たい空気を供給することを特徴とする建物の空調方法。
【請求項８】
前記空調装置は、前記吹き抜け空間で、しかも、前記一階と前記二階との間の高さ位置に設けられている請求項７記載の建物の空調方法。
【請求項９】
前記建物は、基礎と床とで囲まれる床下空間を有し、
前記床下空間は、前記屋外の空気が導入される取り入れ口と、前記床下空間の空気を前記階下の居室に供給する取り出し口とを有し、
前記床下空間の空気を前記階下の居室に供給して、前記階下の居室を正圧にする工程をさらに含む請求項７又は８記載の建物の空調方法。
【請求項１０】
前記階上の居室には、前記屋外に面する窓が設けられ、
前記窓には、前記階上の居室を太陽光から遮断する遮光手段が設けられる請求項７乃至９のいずれかに記載の建物の空調方法。
【発明の詳細な説明】
【技術分野】
【０００１】
本発明は、扉で閉じられている階上の居室を、吹き抜け空間を利用して空調しうる建物の空調方法に関する。
【背景技術】
【０００２】
近年、吹き抜け空間を有する建物が種々提案されている。吹き抜け空間は、例えば、一階から二階に連続しているため、居住者に開放感を与えることができる。関連する技術としては、次のものがある。
【先行技術文献】
【特許文献】
【０００３】
【特許文献１】特開２０１０−０７１０５１号公報
【発明の概要】
【発明が解決しようとする課題】
【０００４】
ところで、建物の二階には、通常、吹き抜け空間に面する扉で開閉される階上の居室が設けられている。階上の居室の扉は、居住者が出入りする際を除き、プライバシー等の観点より、多くの場合閉じられている。このため、階上の居室は、一階の居室を暖房又は冷房しうる空調装置によって空調することが難しいという問題があった。
【０００５】
本発明は、以上のような実状に鑑み案出されたもので、扉で閉じられている階上の居室を、吹き抜け空間を利用して空調しうる建物の空調方法を提供することを主たる目的としている。
【課題を解決するための手段】
【０００６】
本発明のうち請求項１記載の発明は、一階から二階に連続する吹き抜け空間を有した建物の空調方法であって、前記建物の前記一階には前記吹き抜け空間に連続する階下の居室を有し、前記建物の前記二階には前記吹き抜け空間に面する扉で開閉される階上の居室を有し、前記扉の下縁側には、前記階上の居室と前記吹き抜け空間とを連通させる下側換気口を有し、前記扉の上方には、前記階上の居室と前記吹き抜け空間とを連通させる上側換気口を有し、前記建物は、前記階下の居室及び前記吹き抜け空間を少なくとも暖房しうる空調装置を具え、前記空調装置により前記吹き抜け空間を暖めて、該吹き抜け空間を上昇する暖かい空気を、前記扉を閉じた前記階上の居室内に前記上側換気口から供給し、前記下側換気口から排出することにより、前記扉が閉じられた前記階上の居室内の空気温度を上昇させることを特徴とする。
【０００７】
また、請求項２記載の発明は、前記空調装置は、前記吹き抜け空間で、しかも、前記一階と前記二階との間の高さ位置に設けられている請求項１記載の建物の空調方法である。
【０００８】
また、請求項３記載の発明は、前記建物は、前記吹き抜け空間の二階の天井に空気を上昇又は下降させるシーリングファンを具え、前記シーリングファンを前記暖かい空気が下降するように駆動させ、前記階上の居室への前記暖かい空気の供給量を制限する請求項１又は２に記載の建物の空調方法である。
【０００９】
また、請求項４記載の発明は、前記上側換気口の開口面積は、前記下側換気口の開口面積よりも大きい請求項１乃至３のいずれかに記載の建物の空調方法である。
【００１０】
また、請求項５記載の発明は、前記上側換気口は、前記吹き抜け空間の二階の天井と、前記扉との間に形成される欄間開口部である請求項１乃至４のいずれかに記載の建物の空調方法である。
【００１１】
また、請求項６記載の発明は、前記階上の居室には、屋外に面する窓が設けられ、前記窓には、前記階上の居室と前記屋外との間の熱の伝導を妨げる断熱手段が設けられる請求項１乃至５のいずれかに記載の建物の空調方法である。
【００１２】
また、請求項７記載の発明は、一階から二階に連続する吹き抜け空間を有した建物の空調方法であって、前記建物は、前記吹き抜け空間の二階の天井に空気を上昇又は下降させるシーリングファンを有し、前記建物の前記一階には前記吹き抜け空間に連続する階下の居室を有し、前記建物の前記二階には前記吹き抜け空間に面する扉で開閉される階上の居室を有し、前記階上の居室は、前記扉を閉じた状態で該居室内部と前記吹き抜け空間とを連通させる換気口を具え、前記階上の居室には、該居室内の空気を、屋外に排出する換気装置を有し、前記建物は、前記階下の居室及び前記吹き抜け空間を少なくとも冷房しうる空調装置を具え、前記吹き抜け空間の空気が上昇するように前記シーリングファンを運転する工程と、前記空調装置により前記吹き抜け空間を冷却する工程と、前記換気装置で前記階上の居室を負圧にする工程とを行いながら、前記扉が閉じられた前記階上の居室に前記換気口から前記吹き抜け空間の冷たい空気を供給することを特徴とする。
【００１３】
また、請求項８記載の発明は、前記空調装置は、前記吹き抜け空間で、しかも、前記一階と前記二階との間の高さ位置に設けられている請求項７記載の建物の空調方法である。
【００１４】
また、請求項９記載の発明は、前記建物は、基礎と床とで囲まれる床下空間を有し、前記床下空間は、前記屋外の空気が導入される取り入れ口と、前記床下空間の空気を前記階下の居室に供給する取り出し口とを有し、前記床下空間の空気を前記階下の居室に供給して、前記階下の居室を正圧にする工程をさらに含む請求項７又は８記載の建物の空調方法である。
【００１５】
また、請求項１０記載の発明は、前記階上の居室には、前記屋外に面する窓が設けられ、前記窓には、前記階上の居室を太陽光から遮断する遮光手段が設けられる請求項７乃至９のいずれかに記載の建物の空調方法である。
【発明の効果】
【００１６】
本発明のうち、請求項１記載の建物の空調方法は、空調装置により吹き抜け空間を暖めて、該吹き抜け空間を上昇する暖かい空気を、扉を閉じた階上の居室内に上側換気口から供給し、下側換気口から排出することにより、扉が閉じられた階上の居室内の空気温度を上昇させる。
【００１７】
このような請求項１記載の空調方法は、階上の居室内に暖かい空気を供給し、かつ該居室内の冷たい空気を吹き抜け空間に排出することができる。しかも、階上の居室から排出された冷たい空気は、吹き抜け空間を下降し、空調装置によって再び暖められる。これにより、請求項１記載の空調方法は、扉が閉じられている階上の居室内に、暖かい空気を効率良く循環させることができる。従って、請求項１記載の空調方法は、階上の居室内を効率良く暖房することができる。
【００１８】
また、請求項７記載の建物の空調方法は、吹き抜け空間の空気が上昇するようにシーリングファンを運転する工程と、空調装置により吹き抜け空間を冷却する工程と、換気装置で階上の居室を負圧にする工程とを行いながら、扉が閉じられた階上の居室に換気口から吹き抜け空間の冷たい空気を供給する。
【００１９】
このような請求項７記載の空調方法は、扉が閉じられている階上の居室内の暖かい空気を屋外に排出しつつ、階上の居室内を負圧にして、冷たい空気を効率よく供給することができる。従って、請求項７記載の空調方法は、階上の居室を効率よく冷房することができる。
【図面の簡単な説明】
【００２０】
【図１】本実施形態の空調方法が用いられる建物を概念的に示す断面図である。
【図２】（ａ）は建物の１階の間取りを示す断面図、（ｂ）は建物の２階の間取りを示す断面図である。
【図３】階上の居室の扉、下側換気口及び上側換気口を示す斜視図である。
【図４】（ａ）は窓部が開かれた欄間開口部を示す斜視図、（ｂ）は窓部で閉じられた欄間開口部を示す斜視図である。
【図５】冬期に主として用いられる空調方法を説明する断面図である。
【図６】夏期に主として用いられる空調方法を説明する断面図である。
【図７】冬期の空調方法の実験結果として、空気温度と時刻との関係を示すグラフである。
【図８】夏期の空調方法の実験結果として、空気温度と時刻との関係を示すグラフである。
【発明を実施するための形態】
【００２１】
以下、本発明の実施の一形態が図面に基づき説明される。
本実施形態の建物の空調方法（以下、単に「空調方法」ということがある）は、例えば、住宅やビル等の建物に用いることができる。図１、及び図２（ａ）、（ｂ）に示されるように、建物Ｂは、一階から二階に連続する吹き抜け空間２、一階に配置される階下の居室３、及び二階に配置される階上の居室４を有している。
【００２２】
本実施形態の吹き抜け空間２は、階下の居室３の天井５と、二階のホール（廊下）６の床６ｆ（図２（ｂ）に示す）との間を上下に連続する孔部７を介して、階下の居室３から二階の天井８までを上下方向のびている。このような吹き抜け空間２は、居住者に開放感を与えることができる。
【００２３】
本実施形態の孔部７は、平面視において、略矩形状に形成されている。また、孔部７の一辺の長さＬ１は、２０００〜３０００mm程度に設定されている。さらに、吹き抜け空間２は、階下の居室３の床から二階の天井８までの高さＨ１が、５０００〜６０００mm程度に設定されている。
【００２４】
階下の居室３は、例えば、建物Ｂのリビングルームである場合が例示される。階下の居室３は、その天井５に設けられる孔部７を介して、吹き抜け空間２に連続している。
【００２５】
階上の居室４は、吹き抜け空間２に設けられる二階のホール６の周りに配置されている。また、階上の居室４は、吹き抜け空間２に面して配置される開閉可能な扉９が設けられている。扉９は、居住者が出入りする際を除いて閉じることができる。従って、扉は、居住者のプライバシーを確保するのに役立つ。
【００２６】
図１及び図３に示されるように、階上の居室４には、扉９を閉じた状態で、該居室４と吹き抜け空間２とを連通させる換気口１０が設けられている。本実施形態の換気口１０は、扉９の下縁側に設けられる下側換気口１１と、扉９の上方に設けられる上側換気口１２とを有している。
【００２７】
本実施形態の下側換気口１１は、扉９の下縁９ｄにおいて、扉９の幅方向の中央部を切り取った切欠部１３からなる。本実施形態の切欠部１３は、下縁９ｄから上方に向かって、その幅Ｗ２を減じた台形状に形成されている。また、切欠部１３は、最大幅Ｗ２ｍが１５０〜２５０mm程度、高さＨ２が１０〜２０mm程度に設定されている。このような下側換気口１１は、階上の居室４内のプライバシーを確保しつつ、居室４の内部と吹き抜け空間２との間で、空気を通過させることができる。
【００２８】
上側換気口１２は、吹き抜け空間２の二階の天井８と、扉９との間の間仕切り壁１８に形成される欄間開口部１４からなる。本実施形態の欄間開口部１４は、左右に配置される一対の縦枠１４ａ、１４ａ、並びに一対の縦枠１４ａ、１４ａの上端及び下端を水平にのびる一対の横枠１４ｂ、１４ｂからなり、正面視横長矩形状に形成されている。
【００２９】
また、欄間開口部１４は、幅Ｗ３が６００〜８００mm程度、高さＨ３が１５０〜２５０mm程度に設定されている。このような欄間開口部１４も、下側換気口１１と同様に、階上の居室４内のプライバシーを確保しつつ、居室４の内部と吹き抜け空間との間で空気を通過させることができる。
【００３０】
図４（ａ）、（ｂ）に示されるように、欄間開口部１４には、階上の居室４と吹き抜け空間２との間の空気の通過を遮断する窓部１５が設けられてもよい。本実施形態の窓部１５は、一対の縦框１６ａ、１６ａと、一対の横框１６ｂ、１６ｂとからなる枠体１６、及び枠体１６が囲む空間に配置されるカバー材１７からなる。
【００３１】
また、窓部１５は、欄間開口部１４の縦枠１４ａ、１４ａに固着される一対の支持軸部（図示省略）によって、水平軸回りに回転可能に支持されている。これにより、窓部１５は、例えば、欄間開口部１４を閉じた垂直状態と、欄間開口部１４を開いた水平状態との間で回動することができる。
【００３２】
図１に示されるように、本実施形態の階上の居室４には、屋外Ｓｏに面する窓２０、及び居室４内の空気を屋外Ｓｏに排出する換気装置２１が設けられている。
【００３３】
換気装置２１は、階上の居室４と屋外Ｓｏとを連通する空気流路２２、及び階上の居室４側から屋外Ｓｏ側に向かって送風するファン２３を含んで構成されている。このような換気装置２１は、階上の居室４を負圧にして、階上の居室４の空気を、屋外Ｓｏに排出することができる。なお、換気装置２１の排気量は、例えば、５０〜１５０ｍ3／ｈ程度が望ましい。
【００３４】
また、本実施形態の建物Ｂは、階下の居室３と吹き抜け空間２とを少なくとも冷暖房しうる空調装置２５、基礎２６と床２７とで囲まれる床下空間２８、及び吹き抜け空間２の二階の天井８に設けられるシーリングファン２９が設けられている。
【００３５】
基礎２６は、建物Ｂの外周に連続して配置されている。本実施形態の基礎２６は、鉄筋コンクリート製の布基礎である。基礎２６は、地盤Ｇ内で水平にのびるベース部２６Ａと、該ベース部２６Ａの幅方向の略中央から上方へのび、かつ地盤Ｇから突出する立上がり部２６Ｂとを含んでいる。また、基礎２６には、断熱材３７が設けられている。
【００３６】
立上がり部２６Ｂで囲まれた床下空間２８の底面２８ｂには、地中熱Ｈが伝達される。これにより、底面２８ｂは、床下空間２８の空気（以下、単に「床下空気」ということがある。）Ａｉと、地中熱Ｈとを熱交換可能な熱交換部３１として構成される。このような熱交換部３１は、床下空間２８の温度変化を、一年を通して小さく抑えることができる。従って、床下空間２８は、夏は涼しく、かつ、冬は暖かい床下空気Ａｉを蓄えることができる。
【００３７】
また、床下空間２８は、屋外の空気Ａｏが導入される取り入れ口３２と、床下空間２８の空気を階下の居室３に供給する取り出し口３３とが設けられている。取り出し口３３は、階下の居室３の間仕切り壁３４の内部を上下にのびる空気流路３５の下端に形成されている。また、空気流路３５には、階下の居室３と連通する吹き出し口３６が設けられている。
【００３８】
これにより、建物Ｂは、夏は涼しく、かつ、冬は暖かい床下空気Ａｉを、取り出し口３３から、空気流路３５及び吹き出し口３６を介して、階下の居室３に供給することができる。なお、空気流路３５には、例えば、床下空間２８内を負圧にして、該床下空気Ａｉを階下の居室３内に案内する送風手段（図示省略）が設けられるのが望ましい。
【００３９】
本実施形態の空調装置２５は、居室内の温度及び湿度を調節する所謂エア・コンディショナーである。本実施形態の空調装置２５は、吹き抜け空間２の孔部７の壁面に固着されている。これにより、空調装置２５は、一階と二階との間の高さ位置に設けられるため、階下の居室３及び吹き抜け空間２を同時に冷暖房することができる。このような作用を効果的に発揮させるために、空調装置２５の冷暖房能力は、例えば、２．８〜６．３ｋＷ程度が望ましい。なお、空調装置２５は、エア・コンディショナーに限定されるわけではなく、例えば、居室を暖房することができるストーブ、蓄熱暖房器又は床暖房や、居室を冷房することができる冷水パネルでもよい。
【００４０】
シーリングファン２９は、二階の天井８に固着される基部４０と、基部４０に垂直軸回りに回転可能に支持される羽根部４１とを含んで構成されている。このようなシーリングファン２９は、羽根部４１が回転することにより、吹き抜け空間２の空気を上昇又は下降させて、該吹き抜け空間２の空気を拡散させることができる。
【００４１】
そして、図５に示されるように、本実施形態の空調方法では、先ず、空調装置２５により吹き抜け空間２を暖める。これにより、吹き抜け空間２では、暖かい空気Ａｗが上昇し、二階の天井８に到達する。
【００４２】
また、本実施形態では、予め、上側換気口１２の窓部１５（図４（ａ）に示す）が開かれている。これにより、天井８に到達した暖かい空気Ａｗは、該天井８に沿って階上の居室４側へ移動し、上側換気口１２を介して、扉９を閉じた階上の居室４内に供給される。
【００４３】
さらに、階上の居室４に供給された暖かい空気Ａｗは、階上の居室４内の冷たい空気Ａｃを下降させ、該冷たい空気Ａｃを下側換気口１１から吹き抜け空間２に排出することができる。しかも、階上の居室４から排出された冷たい空気Ａｃは、吹き抜け空間２を下降し、空調装置２５によって再び暖められる。
【００４４】
これにより、空調方法は、例えば冬期において、扉９が閉じられている階上の居室４内に、暖かい空気Ａｗを効率良く循環させることができ、階上の居室４内の空気温度を上昇させることができる。従って、空調方法は、扉９が閉じられている階上の居室４を、吹き抜け空間２を利用して暖房することができる。しかも、本実施形態では、空調装置２５が、吹き抜け空間２内に配置され、かつ一階と二階との間の高さ位置に設けられているため、吹き抜け空間２と階下の居室３とを同時に暖房することができる。従って、本実施形態の空調方法は、一台の空調装置２５で階下の居室３及び階上の居室４を効率よく暖房することができる。
【００４５】
図３に示されるように、上側換気口１２の開口面積は、下側換気口１１の開口面積よりも大きいのが望ましい。吹き抜け空間２内の暖かい空気Ａｗ（図５に示す）は、二階の天井８側の温度が、二階の床６ｆ側の温度に比べて高くなっている。従って、上側換気口１２の開口面積が、下側換気口１１の開口面積よりも大に形成されることにより、温度の高い天井８側の暖かい空気Ａｗを、階上の居室４内に積極的に取り入れることができる。さらに、上側換気口１２から供給される暖かい空気Ａｗ（図５に示す）の量が、下側換気口１１から排出される冷たい空気Ａｃ（図５に示す）の量よりも多くなるため、階上の居室４内の空気温度を効率よく上昇させることができる。
【００４６】
このような作用を効果的に発揮させるために、上側換気口１２の開口面積は、下側換気口１１の開口面積の５〜１５倍が望ましい。上側換気口１２の開口面積が、下側換気口１１の開口面積の５倍未満であると、暖かい空気を積極的に取り入れることができないおそれがある。逆に、上側換気口１２の開口面積が、下側換気口１１の開口面積の１５倍を超えると、下側換気口１１から冷たい空気を十分に排出させることができないおそれがある。
【００４７】
なお、本明細書において、上側換気口１２及び下側換気口１１の開口面積は、流量係数：α、開口面積：Ａ(cm2)の積で表される有効開口面積αＡ(cm2)である。なお、流量係数αは、通常の換気口において、０．７程度に設定される。さらに、上側換気口１２の開口面積Ａは、欄間開口部１４の幅Ｗ３と高さＨ３とを乗じた値である。なお、本実施形態では、上側換気口１２の有効開口面積αＡが５００〜１０００cm2程度、下側換気口１１の有効開口面積αＡが３３〜２００cm2程度であるのが望ましい。
【００４８】
また、リビングルーム（階下の居室３）以外の階下の居室１９において、下側換気口１１及び上側換気口１２が設けられる場合は、下側換気口１１の開口面積が、上側換気口１２の開口面積よりも大きいのが望ましい。階下の居室１９では、下側換気口１１での空気の圧力が、上側換気口１２での空気の圧力よりも大きくなる傾向がある。従って、階下の居室１９において、下側換気口１１の開口面積が、上側換気口１２の開口面積よりも大に形成されることにより、下側換気口１１の空気抵抗を小さくして積極的に空気を排出するとともに、上側換気口１２での空気の流入量を増加させることができる。従って、本実施形態では、階下の居室１９内の空気温度を効率よく向上させることができる。このような作用を効果的に発揮させるために、上側換気口１２の開口面積は、下側換気口１１の開口面積の０．２５〜０．６７倍が望ましい。
【００４９】
図５に示されるように、吹き抜け空間２を上昇する暖かい空気Ａｗの量が、階下の居室３に供給される暖かい空気Ａｗの量よりも多くなると、階下の居室３の暖房効率が低下する場合がある。さらに、吹き抜け空間２を上昇する暖かい空気Ａｗの量が多くなると、階上の居室４に供給される暖かい空気Ａｗの量が多くなり、階上の居室４内で大きな気流が発生する場合がある。
【００５０】
このため、本実施形態の空調方法では、暖かい空気Ａｗの一部が吹き抜け空間２を下降するように、シーリングファン２９を駆動させるのが望ましい。これにより、シーリングファン２９は、吹き抜け空間２を上昇する暖かい空気Ａｗの一部を、階下の居室３に送り返すことができる。従って、シーリングファン２９は、階下の居室３への暖かい空気Ａｗの供給量の制限しつつ、階下の居室３の暖房効率の低下を防ぎうる。なお、シーリングファン２９の風量は、適宜設定することができるが、例えば、５００〜３０００ｍ3／ｈ程度が望ましい。
【００５１】
また、本実施形態の空調方法では、階上の居室４の換気装置２１を停止させておくのが望ましい。これにより、空調方法は、階上の居室４に供給された暖かい空気Ａｗが、屋外Ｓｏに排出されるのを防ぐことができ、階上の居室４内の空気温度を確実に上昇させることができる。
【００５２】
さらに、本実施形態の空調方法では、床下空気Ａｉ（図１に示す）の供給も停止させておくのが望ましい。これにより、空調方法は、空調装置２５による暖かい空気Ａｗよりも低温の床下空気Ａｉが、吹き抜け空間２に供給されるのを防ぐことができるため、階上の居室４内の空気温度を確実に上昇させることができる。
【００５３】
また、階上の居室４の窓２０には、断熱手段４３が設けられるのが望ましい。このような断熱手段４３は、階上の居室４と屋外Ｓｏとの間の熱の伝導を妨げることができるため、階上の居室４内の空気温度を確実に上昇させるのに役立つ。本実施形態の断熱手段４３としては、空気層を有するスクリーンや、屋外Ｓｏ側と屋内側とにサッシが配置される二重サッシや、断熱材が挿入されている内障子等が望ましい。
【００５４】
図６には、他の実施形態の空調方法を説明する図が示される。この実施形態の空調方法では、吹き抜け空間２の空気が上昇するようにシーリングファン２９を運転する工程Ｓ１と、空調装置２５により吹き抜け空間２を冷却する工程Ｓ２とが行われる。これにより、シーリングファン２９は、吹き抜け空間２内で下降しがちな冷たい空気Ａｃを、一階から二階に上昇させることができる。
【００５５】
さらに、空調方法は、換気装置２１で階上の居室４を負圧にする工程Ｓ３が行われる。これにより、換気装置２１は、扉９が閉じられている階上の居室４内の暖かい空気Ａｗを屋外Ｓｏに排出することができる。さらに、換気装置２１は、階上の居室４内を負圧にすることができるため、下側換気口１１及び上側換気口１２を介して、冷たい空気Ａｃを効率よく供給することができる。従って、空調方法は、例えば夏期において、扉９が閉じられている階上の居室４を、吹き抜け空間２を利用して効率よく冷房することができる。
【００５６】
しかも、この実施形態の空調方法では、前実施形態の空調方法と同様に、空調装置２５が吹き抜け空間２内に配置され、かつ一階と二階との間の高さ位置に設けられているため、階下の居室３及び吹き抜け空間２を同時に冷房することができる。従って、本実施形態の空調方法は、一台の空調装置２５で階下の居室３及び階上の居室４を効率よく冷房することができる。
【００５７】
この実施形態では、各工程Ｓ１、Ｓ２、Ｓ３が同時に行われているが、これに限定されるわけではない。例えば、吹き抜け空間２を冷却する工程Ｓ２が、他の工程Ｓ１、Ｓ３よりも先に実施されてもよい。これにより、空調装置２５は、階下の居室３を優先して冷房することができる。なお、各工程Ｓ１、Ｓ２、Ｓ３の順序は、種々変更することができる。
【００５８】
また、この実施形態の空調方法では、床下空気Ａｉを階下の居室３に供給して、階下の居室３を正圧にする工程Ｓ４が行われるのが望ましい。これにより、空調方法は、階上の居室４を負圧にする換気装置２１との相乗効果により、吹き抜け空間２を下降しがちな冷たい空気Ａｃを効率よく上昇させることができ、階上の居室４を効果的に冷房することができる。
【００５９】
また、夏期の床下空気Ａｉの温度は、冷房前の各居室３、４の空気温度に比べて低い。このため、床下空気Ａｉは、階下の居室３の空気温度を低下させることができるため、空調装置２５の冷房効率を向上させることができる。なお、床下空気Ａｉの供給量は、例えば、１００〜８００ｍ3／ｈ程度が望ましい。
【００６０】
さらに、窓２０には、階上の居室４を太陽光から遮断する遮光手段４５が設けられるのが望ましい。このような遮光手段４５は、太陽光による階上の居室４の空気温度の上昇を抑制でき、階上の居室４を効率よく冷房するのに役立つ。
【００６１】
遮光手段４５は、少なくとも南西に向く窓２０に設けられるのが望ましい。これにより、遮光手段４５は、西日の強い日差しを遮断することができるため、階上の居室４の空気温度の上昇を、効果的に防ぐことができる。なお、遮光手段４５としては、適宜設定することができるが、窓２０の全体を覆うことができる簾、カーテン、又はブラインドシャッター等が望ましい。
【００６２】
以上、本発明の特に好ましい実施形態について詳述したが、本発明は図示の実施形態に限定されることなく、種々の態様に変形して実施しうる。
【実施例】
【００６３】
［実施例Ａ］
図１に示す基本構造を有する建物が製造された。そして、冬期の大阪府の外気温度が再現された建物において、空調装置により吹き抜け空間を暖めて、吹き抜け空間の暖かい空気を、扉を閉じた階上の居室内に上側換気口から供給し、下側換気口から排出した空調方法が実施された（実施例１）。実施例１では、吹き抜け空間の暖かい空気が下降するようにシーリングファンが駆動されるとともに、階上の居室の窓に断熱手段が設けられた。
【００６４】
また、比較のために、下側換気口を有しない階上の居室と、階下の居室を主に暖房する空調装置とが設けられる建物が製造された。そして、冬期の大阪府の外気温度が再現された建物において、階下の居室、及び階上の居室を暖房する空調方法が実施された（比較例１）。比較例１では、吹き抜け空間の空気が上昇するようにシーリングファンが駆動された。また、比較例１の窓には、断熱手段が設けられていない。
【００６５】
そして、実施例１及び比較例１において、階上の居室及び階下の居室の空気の温度が測定され、空気温度と時刻との関係を示すグラフ（図７に示す）が求められた。なお、共通仕様は、次のとおりである。
・建物のプラン：居室の床面積：１１３ｍ2
・空調装置の冷暖房能力：６．３ｋＷ
・上側換気口の有効開口面積αＡ：７００cm2
・下側換気口の有効開口面積αＡ：６４cm2
・シーリングファンの風量：２０００ｍ3／ｈ
・階下の居室の空気の温度の測定位置：Ｔ１（図２に示す）
・Ｌ２：３１５０mm、Ｌ３：２２５０mm、高さ：１２００mm
・階上の居室の空気の温度の測定位置：Ｔ２（図２に示す）
・Ｌ４：１３５０mm、Ｌ５：１８００mm、高さ：１２００mm
・気象データ：ＳＭＡＳＨ気象データ（大阪府）
・気象データの日時：２月３日（晴天、かつ最低気温が一年で最も低い日）
【００６６】
テストの結果、実施例１の空調方法では、一台の空調装置で、階下の居室のみならず、扉で閉じられている階上の居室を、吹き抜け空間を利用して暖房できることを確認できた。
【００６７】
［実施例Ｂ］
夏期の大阪府の外気温度が再現された実施例１の建物において、吹き抜け空間の空気が上昇するようにシーリングファンを運転する工程と、空調装置により吹き抜け空間を冷却する工程と、換気装置で階上の居室を負圧にする工程とを行う空調方法が実施された（実施例２）。実施例２では、床下空気が階下の居室に供給されるとともに、階上の居室の窓に遮光手段（簾）が設けられた。
【００６８】
さらに、夏期の大阪府の外気温度が再現された比較例１の建物において、階下の居室、及び階上の居室を冷房する空調方法が実施された（比較例２）。比較例２では、吹き抜け空間の空気が下昇するようにシーリングファンが駆動された。また、比較例２の窓には、遮光手段が設けられていない。
【００６９】
そして、実施例２及び比較例２において、階上の居室及び階下の居室の空気の温度が測定され、空気温度と時刻との関係を示すグラフ（図８に示す）が求められた。なお、共通仕様は、次に示すものを除いて、実施例Ａと同一である。
・換気装置の排気量：１００ｍ3／ｈ（各居室毎）
・シーリングファンの風量：４０００ｍ3／ｈ
・気象データの日時：８月１１日（晴天、かつ最高気温が一年で最も高い日）
【００７０】
テストの結果、実施例２の空調方法では、一台の空調装置で、階下の居室のみならず、扉で閉じられている階上の居室を、吹き抜け空間を利用して冷房できることを確認できた。
【符号の説明】
【００７１】
２      吹き抜け空間
４      階上の居室
９      扉
１０      換気口
１１      下側換気口
１２      上側換気口
２５      空調装置
２９      シーリングファン
【図１】
2014194288.tif 000003
【図２】
2014194288.tif 000004
【図３】
2014194288.tif 000005
【図４】
2014194288.tif 000006
【図５】
2014194288.tif 000007
【図６】
2014194288.tif 000008
【図７】
2014194288.tif 000009
【図８】
2014194288.tif 000010